(57)【要約】【課題】容器を排水管に倒立状態で設置する際にも洗浄液が漏洩せず、洗浄液を排水管の内壁面全体に無駄なくかけることができ、横倒しの場合にも洗浄液が不用意にこぼれたり、不必要な場所にかかってしまうことのない経済的で安全かつ便利な排水管用洗浄液容器を提供する。【解決手段】容器（１）とキャップ（２）とから構成され；　当該キャップ（２）が、容器のキャップ取付け部（１１）に直接嵌め着けられるキャップ基座（２１）と、当該キャップ基座の容器とは反対側の端部に軸方向に進退自在に取り付けられ、使用時に排水管（Ｐ）の開口部に当接され、排水管の内壁に向かって洗浄液をシャワー状に噴射する複数の噴射口（２２１，２２３　）が形成されたノズル部材（２２）と、使用時に上記ノズル部材（２２）を排水管（Ｐ）の開口部に押し付けて上記キャップ基座（２１）の側へ退行せしめる動作により開放される弁機構（３）と、により構成されたことを特徴とする。【選択図】　図１
2004097933.tif 000002
【特許請求の範囲】
【請求項１】
洗浄液を収容し、当該洗浄液が排出される開口にこれを閉鎖するキャップの取付け部（１１）を有する容器（１）と、当該キャップ取付け部（１１）に取り付けられるキャップ（２）と、から構成され；
当該キャップ（２）が、
容器のキャップ取付け部（１１）に直接嵌め着けられるキャップ基座（２１）と、
当該キャップ基座の容器とは反対側の端部に軸方向に進退自在に取り付けられ、使用時に排水管（Ｐ）の開口部に当接され、排水管の内壁に向かって洗浄液をシャワー状に噴射する複数の噴射口（２２１，２２３　）が形成されたノズル部材（２２）と、
使用時に上記ノズル部材（２２）を排水管（Ｐ）の開口部に押し付けて上記キャップ基座（２１）の側へ退行せしめる動作により開放される弁機構（３）と、
により構成されたことを特徴とする排水管用洗浄液容器。
【請求項２】
上記容器（１）の少なくとも一部が柔軟な材質により圧縮可能なよう構成され、
上記弁機構（３）が、上記キャップ基座（２１）に設けた弁座（２１１　）と、軸方向に伸縮可能なスプリング体（３１）の所定箇所に形成した弁体（３１１　）とから構成され、
使用時に上記ノズル部材（２２）を排水管（Ｐ）の開口部に押し付けて上記キャップ基座（２１）の側へ退行せしめたとき、上記スプリング体（３１）が上記ノズル部材（２２）により押されて軸方向に縮小し、これにより上記弁体（３１１　）が弁座（２１１　）から開離して弁機構（３）が開放され、圧縮された容器（１）内の洗浄液が上記ノズル部材の複数の噴射口（２２１　）から排水管の内壁に向かってシャワー状に噴射されることを特徴とする請求項１に記載の排水管用洗浄液容器。
【請求項３】
上記容器（１）の少なくとも一部が柔軟な材質により圧縮可能なよう構成され、
上記キャップ基座（２１）の中央部には、先端方向へ向けて伸びる中空円筒状のノーズ部（２１２　）が一体的に形成され、当該ノーズ部の先端（２１３　）は閉じられ、その側壁には透孔（２１４　）が明けられ、
上記ノズル部材（２２）は、上記複数の噴射口（２２３　）が形成された排水管の内径より僅かに小径の頂板（２２２　）と、それよりキャップ基座側に設けられ、上記ノーズ部（２１２　）を挿通可能な中心孔（２２５　）を有する弁板（２２４　）とが、軸方向に所定の間隔を隔てて連結された状態で互いに平行に形成され、
上記キャップ基座のノーズ部（２１２　）と、これを嵌め込んだ上記ノズル部材の弁板（２２４　）とにより前記弁機構（３）が形成され、
不使用時には、上記ノーズ部の閉じられた先端（２１３　）が上記弁板（２２４　）の中心孔（２２５　）を塞いで洗浄液の通過を阻止し、
使用時には、上記ノズル部材（２２）を排水管（Ｐ）の開口部に押し付けて上記キャップ基座（２１）の側へ退行せしめることにより、上記ノーズ部の先端（２１３　）が上記弁板の中心孔（２２５　）を突き抜け、ノーズ部の側壁の前記透孔（２１４　）が弁板より先端側へ移動し、これにより、圧縮された容器（１）内の洗浄液が上記透孔（２１４　）を通過し、上記ノズル部材の複数の噴射口（２２３　）から排水管の内壁に向かってシャワー状に噴射されることを特徴とする請求項１に記載の排水管用洗浄液容器。
【請求項４】
上記容器（１）の少なくとも一部が柔軟な材質により圧縮可能なよう構成され、
上記弁機構（３）が、上記キャップ基座（２１）に設けた弁膜（２１５　）と、上記ノズル部材（２２）に設けた突起（２２６　）とから構成され、
使用時に上記ノズル部材（２２）を排水管（Ｐ）の開口部に押し付けて上記キャップ基座（２１）の側へ退行せしめたとき、上記突起（２２６　）が上記弁膜（２１５　）を突き破り、圧縮された容器（１）内の洗浄液が破られた弁膜（２１５　）を通過し、上記ノズル部材の複数の噴射口（２２１　）から排水管の内壁に向かってシャワー状に噴射されることを特徴とする請求項１に記載の排水管用洗浄液容器。
【請求項５】
上記容器（１）が比較的硬質で圧縮困難な材質により作製され、
上記弁機構（３）が、上記キャップ基座（２１）に設けた弁座（２１１　）と、軸方向に伸縮可能なスプリング体（３１）の所定箇所に形成した弁体（３１１　）とから構成されると共に、
上記弁機構（３）部分から容器内へ伸びる通気管（４）が設けられ、
使用時に上記ノズル部材（２２）を排水管（Ｐ）の開口部に押し付けて上記キャップ基座（２１）の側へ退行せしめたとき、上記スプリング体（３１）が上記ノズル部材（２２）により押されて縮小し、これにより上記弁体（３１１　）が弁座（２１１　）から開離して弁機構が開放され、容器（１）内の洗浄液が自重により弁機構を通過して上記ノズル部材の複数の噴射口（２２１　）から排水管の内壁に向かってシャワー状に排出され、これによって生じる容器内の減圧により噴射口から吸入された外気が、上記弁機構（３）及び通気管（４）を通じて容器内へ導入され、洗浄液の自重による排出が継続的になされることを特徴とする請求項１に記載の排水管用洗浄液容器。
【発明の詳細な説明】
【０００１】
【発明の属する技術分野】
本発明は、排水管用洗浄液容器の改良に関する。
【０００２】
【従来の技術】
台所等の排水管用洗浄液は、そのボトルを傾倒させて排水管の開口に直接注ぐようになっているため、目的の場所に液をかけにくいばかりか、最も必要とされる排水管の内壁面に洗浄液がかからず、十分な効果が得られないことが多かった。従ってまた、液の無駄使いにつながる傾向があった。
【０００３】
更にまた、排水管用洗浄液には、一般的に強力な洗浄力が求められており、強アルカリ剤や塩素系漂白剤が好まれて配合されている。しかしながら、キャップを外した状態でうっかり横倒しにすると、液が容易に流出したり、目的の場所以外に液がかかってしまったりするなど、安全上の問題も多かった。
【０００４】
【発明が解決しようとする課題】
本発明は、上記の問題点を解決するためになされたものであり、その目的とするところは、容器を排水管に倒立状態で設置する際に、洗浄液が漏洩することなく移動設置可能であると共に、洗浄液を排水管の内壁面全体に無駄なくかけることができ、また、横倒しの場合などに洗浄液が不用意にこぼれたり、不必要な場所にかかってしまうことのない経済的で安全かつ便利な排水管用洗浄液容器を提供することにある。
【０００５】
【課題を解決するための手段】
本発明の上記の目的は、容器の口に、排水管の内壁面へ向けて放射状に洗浄液のシャワーリングが可能なノズルを取り付け、そのノズルを排水口に当てがって押し付け、容器を圧縮したときの圧縮力又は自重によって洗浄液がノズルから噴出するように構成することによって達成できる。
より具体的には、本発明に係る排水管用洗浄液容器は；
洗浄液を収容し、当該洗浄液が排出される開口にこれを閉鎖するキャップの取付け部を有する容器と、当該キャップ取付け部に取り付けられるキャップと、から構成され、
当該キャップが、
容器のキャップ取付け部に直接嵌め着けられるキャップ基座と、
当該キャップ基座の容器とは反対側の端部に軸方向に進退自在に取り付けられ、使用時に排水管の開口部に当接され、排水管の内壁に向かって洗浄液をシャワー状に噴射する複数の噴射口が形成されたノズル部材と、
使用時に上記ノズル部材を排水管の開口部に押し付けて上記キャップ基座の側へ退行せしめる動作により開放される弁機構と、
により構成されたことを特徴とする。
【０００６】
本発明の望ましい第１の実施例においては；
上記容器の少なくとも一部が柔軟な材質により圧縮可能なよう構成され、
上記弁機構が、上記キャップ基座に設けた弁座と、軸方向に伸縮可能なスプリング体の所定箇所に形成した弁体とから構成され、
使用時に上記ノズル部材を排水管の開口部に押し付けて上記キャップ基座の側へ退行せしめたとき、上記スプリング体が上記ノズル部材により押されて縮小し、これにより上記弁体が弁座から開離して弁機構が開放され、圧縮された容器内の洗浄液が上記ノズル部材の複数の噴射口から排水管の内壁に向かってシャワー状に噴射されることを特徴とする。
【０００７】
本発明の望ましい第２の実施例においては；
上記容器の少なくとも一部が柔軟な材質により圧縮可能なよう構成され、
上記キャップ基座の中央部には、先端方向へ向けて伸びる中空円筒状のノーズ部が一体的に形成され、当該ノーズ部の先端は閉じられ、その側壁には透孔が明けられ、
上記ノズル部材は、上記複数の噴射口が形成された排水管の内径より僅かに小径の頂板と、それよりキャップ基座側に設けられ、上記ノーズ部を挿通可能な中心孔を有する弁板とが、軸方向に所定の間隔を隔てて連結された状態で互いに平行に形成され、
上記キャップ基座のノーズ部と、これを嵌め込んだ上記ノズル部材の弁板とにより前記弁機構が形成され、
不使用時には、上記ノーズ部の閉じられた先端が上記弁板の中心孔を塞いで洗浄液の通過を阻止し、
使用時には、上記ノズル部材を排水管の開口部に押し付けて上記キャップ基座の側へ退行せしめることにより、上記ノーズ部の先端が上記弁板の中心孔を突き抜け、ノーズ部の側壁の前記透孔が弁板より先端側へ移動し、これにより、圧縮された容器内の洗浄液が上記透孔を通過し、上記ノズル部材の複数の噴射口から排水管の内壁に向かってシャワー状に噴射されることを特徴とする。
【０００８】
本発明の望ましい第３の実施例においては；
上記容器の少なくとも一部が柔軟な材質により圧縮可能なよう構成され、
上記弁機構が、上記キャップ基座に設けた弁膜と、上記ノズル部材に設けた突起とから構成され、
使用時に上記ノズル部材を排水管の開口部に押し付けて上記キャップ基座の側へ退行せしめたとき、上記突起が上記弁膜を突き破り、圧縮された容器内の洗浄液が破られた弁膜を通過し、上記ノズル部材の複数の噴射口から排水管の内壁に向かってシャワー状に噴射されることを特徴とする請求項１に記載の排水管用洗浄液容器。
【０００９】
本発明の望ましい第４の実施例においては；
上記容器が比較的硬質で圧縮困難な材質により作製され、
上記弁機構が、上記キャップ基座に設けた弁座と、軸方向に伸縮可能なスプリング体の所定箇所に形成した弁体とから構成されると共に、
上記弁機構部分から容器内へ伸びる通気管が設けられ、
使用時に上記ノズル部材を排水管の開口部に押し付けて上記キャップ基座の側へ退行せしめたとき、上記スプリング体が上記ノズル部材により押されて縮小し、これにより上記弁体が弁座から開離して弁機構が開放され、容器内の洗浄液が自重により弁機構を通過して上記ノズル部材の複数の噴射口から排水管の内壁に向かってシャワー状に排出され、これによって生じる容器内の減圧により噴射口から吸入された外気が、上記弁機構及び通気管を通じて容器内へ導入され、洗浄液の自重による排出が継続的になされることを特徴とする。
【００１０】
【発明の実施の形態】
以下、図面を参照しつゝ本発明を具体的に説明する。
図１は、本発明に係る排水管用洗浄液容器の第１の実施例の要部断面図、図２は、その作動を示す要部断面図、図３は、そのノズル部材に明けた複数の噴射口の状態を示す平面図、図４は、その洗浄液噴射状態を示す説明図、図５は、本発明に係る排水管用洗浄液容器の第２の実施例の要部断面図、図６は、そのノズル部材に明けた複数の噴射口の状態を示す平面図、図７は、そのストッパの平面図、図８は、その洗浄液噴射状態を示す説明図、図９は、本発明に係る排水管用洗浄液容器の第３の実施例の要部断面図、図１０は、その弁膜が破られる状態を示す要部断面図、図１１は、その洗浄液噴射状態を示す説明図、図１２は、本発明に係る排水管用洗浄液容器の第４の実施例の要部断面図、図１３は、その洗浄液噴射状態を示す説明図である。
【００１１】
まず、図１ないし図４に示す第１の実施例について説明する。
本発明に係る洗浄液容器は、この第１の実施例にも示されるように、容器１とキャップ２とから構成される。
容器１は、その開口部にねじ合わせ式のキャップの取付け部１１が形成され、またその胴部の一部には、蛇腹１２が形成され、これを押し縮めることにより、容器内の圧力を高めることができるようになっている。
キャップ２は、容器のキャップ取付け部１１に直接嵌め着けられるキャップ基座２１と、その先端側に軸方向に進退自在に取り付けられるノズル部材２２とから構成されている。このノズル部材２２には、排水管Ｐの内壁面に向かって洗浄液をシャワー状に噴射する複数の噴射口２２１　（図３参照）が形成されている。
弁機構３は、使用時に上記ノズル部材２２を排水管Ｐの開口部に押し付けて上記キャップ基座２１の側へ退行せしめる動作により開放され、容器１内の洗浄液を通過させる機能を有している。
即ち、この実施例における弁機構３は、上記キャップ基座２１の中心孔部分に形成した弁座２１１　と、キャップ基座２１内に嵌め入れたスプリング体３１の頭部近くに形成した弁体３１１　とから構成され、スプリング体３１は、その軸方向に伸縮可能なようになっている。
【００１２】
そこで、図２に示すように、使用時に上記ノズル部材２２を排水管Ｐの開口部に押し付けると、ノズル部材２２が上記キャップ基座２１の側へ移動し、これによりスプリング体３１が上記ノズル部材２２により押されて縮小する。これによって、弁体３１１　が弁座２１１　から開離して弁機構３が開放され、圧縮された容器１内の洗浄液が通過し得るようになる。
従って、この状態で図４に示すように容器１の底部を繰り返し押したり戻したりして蛇腹１２を伸縮させると、弁機構３を通過した洗浄液は、ノズル部材２２の複数の噴射口２２１　から排水管の内壁全面に向かってシャワー状に噴射され、排水管の内壁面には洗浄液が均一に無駄なく吹きかけられることになる。
また、容器を排水管から離すと、スプリング体３１が再び伸張して弁機構３が閉じるので、容器が横倒しになっても洗浄液がこぼれ出ることがなく、安全である。
【００１３】
次に、図５ないし図８に示す第２の実施例について説明する。
この実施例では、キャップ２の構造が、第１の実施例のものとは異なっている。
即ち、この実施例のキャップ基座２１の中央部には、先端方向へ向けて伸びる中空円筒状のノーズ部２１２　が形成され、ノーズ部の先端２１３　は閉じられ、その側壁には透孔２１４　が明けられている。
他方、ノズル部材２２は、排水管の内径よりわずかに小径の頂板２２２　と、それよりキャップ基座側に設けられる弁板２２４　とが、軸方向に所定の間隔を隔てて連結された状態で互いに平行に形成されている。頂板２２２　の周縁には、図６に示すように、複数の噴射口２２３　が形成されている。また、弁板２２４　の中央部には、キャップ基座２１の上記ノーズ部２１２　を挿通可能な中心孔２２５　が明けられている。
この実施例では、上記キャップ基座のノーズ部２１２　と、これを嵌め込んだ上記ノズル部材の弁板２２４　とにより前記弁機構３が形成されるようになっている。
【００１４】
不使用時には、図５に示すように、ノーズ部２１２　の閉じられた先端２１３　が上記弁板２２４　の中心孔２２５　を塞いで洗浄液の通過を阻止するようになっており、キャップ基座２１の外周に装着したストッパ２３によってノズル部材２２が固定されて、洗浄液が漏れ出ないようになっている。図７には、このストッパ２３が平面図で示されている。
使用時には、ストッパ２３を取り外し、図８に示す如く、上記ノズル部材２２の頂板２２２　を排水管Ｐの内部に入れ込み、ノズル部材２２の基部を排水管Ｐの開口部に押し付ける。然るときは、ノズル部材２２全体がキャップ基座２１の側へ移動し、これによりノーズ部２１２　の先端２１３　が弁板２２４　の中心孔２２５　を突き抜け、ノーズ部の側壁の前記透孔２１４　が弁板より先端側へ移行し、これによって、圧縮された容器１内の洗浄液が上記透孔２１４　を通過し得るようになる。
【００１５】
従って、この状態で図８に示すように容器１の底部を繰り返し押したり戻したりして蛇腹１２を伸縮させると、透孔２１４　を通過した洗浄液は、頂板２２２　の周縁部に明けた複数の噴射口２２３　から排水管の内壁面に沿うように噴射され、排水管の内壁面は洗浄液で均一に覆われ、洗浄されることになる。
不使用時には、再度ストッパ２３を嵌めておくことにより弁機構３が閉じ、容器が横倒しになっても洗浄液がこぼれ出ることがなく、安全である。
ストッパ２３の代わりに、キャップ基座２１とノズル部材２２との間に作用してノズル部材２２を押し出す力を付与するスプリングを設けるようにしてもよい。
【００１６】
次に、図９ないし図１１に示す第３の実施例について説明する。
この実施例においては、弁機構３が、上記キャップ基座２１の中央部に設けた弁膜２１５　と、上記ノズル部材２２に設けた突起２２６　とから構成されるようになっている。なお、図１０中、点線の円内に示す図形は、突起２２６　の軸直角断面である。また、ノズル部材２２の噴射口２２１　の数や配置等は、前記第１の実施例の図３に示したものと同様である。
使用時には、図１０に示す如く、上記ノズル部材２２を排水管Ｐの開口部に押し付けて上記キャップ基座２１の側へ移動させると、突起２２６　が弁膜２１５　を突き破り、容器１内の洗浄液が、破られた弁膜２１５　を通過し得るようになる。
従って、この状態で図１１に示すように容器１の底部を繰り返し押したり戻したりして蛇腹１２を伸縮させると、弁機構３を通過した洗浄液は、第１の実施例と同様の構成を有するノズル部材２２の複数の噴射口２２１　から排水管の内壁全面に向かってシャワー状に噴射され、排水管の内壁面には洗浄液が均一に無駄なく吹きかけられることになる。
【００１７】
次に、図１２ないし図１３に示す第４の実施例について説明する。
これまでの実施例では、容器１がいずれも蛇腹１２により圧縮可能なように構成されていたが、この第４の実施例の容器１は、比較的硬質で圧縮困難な材質により蛇腹を設けることなく作製されている。
この場合の弁機構３は、第１の実施例の場合と同様に、キャップ基座２１に設けた弁座２１１　と、軸方向に伸縮可能なスプリング体３１の所定箇所に形成した弁体３１１　とから構成されている。
なお、この実施例では、弁機構３の部分から容器１内へ伸びる通気管４が設けられている。図１２中、点線の円内に示す図形は、通気管４の軸直角断面である。また、ノズル部材２２の噴射口２２１　の数や配置等は、前記第１の実施例の図３に示したものと同様である。
【００１８】
使用時には、図１３に示す如く、ノズル部材２２を排水管Ｐの開口部に押し付けて上記キャップ基座２１の側へ移動させると、スプリング体３１がノズル部材２２により押されて縮小し、これにより弁体３１１　が弁座２１１　から開離して弁機構３が開放され、容器１内の洗浄液が自重により弁機構３を通過して上記ノズル部材の複数の噴射口２２１　から排水管の内壁に向かって排出される。これによって生じる容器内の減圧により噴射口から吸入された外気は、弁機構３及び通気管４を通じて容器１内へ導入され、洗浄液の自重による排出が継続的になされることになる。
【００１９】
なお、本発明は上述の実施例に限定されるものでなく、さまざまな変更実施例が可能であり、従って、本発明はその目的の範囲内において上記の説明から当業者が容易に想到し得るすべての変更実施例を包摂するものである。
【００２０】
【発明の効果】
本発明は以上の如く構成されるから、本発明によるときは、次のような作用効果を達成することができる。
（１）放射状にシャワーリングが可能なノズル部材を用いることにより、洗浄液を排水管の内壁面全体に均一に接触させることができるので、従来品に比べて洗浄液の無駄がなく、効率的に汚れを落とすことができる。
（２）容器を倒立させ、ノズルを排水管の開口部にセットしてから弁機構を開放状態にできるので、不必要な場所に液がかかったり、不用意に液がこぼれたりすることがなく、安全性が向上する。
【図面の簡単な説明】
【図１】本発明に係る排水管用洗浄液容器の第１の実施例の要部断面図である。
【図２】その作動を示す要部断面図である。
【図３】そのノズル部材に明けた複数の噴射口の状態を示す平面図である。
【図４】その洗浄液噴射状態を示す説明図である。
【図５】本発明に係る排水管用洗浄液容器の第２の実施例の要部断面図である。
【図６】そのノズル部材に明けた複数の噴射口の状態を示す平面図である。
【図７】そのストッパの平面図である。
【図８】その洗浄液噴射状態を示す説明図である。
【図９】本発明に係る排水管用洗浄液容器の第３の実施例の要部断面図である。
【図１０】その弁膜が破られる状態を示す要部断面図である。
【図１１】その洗浄液噴射状態を示す説明図である。
【図１２】本発明に係る排水管用洗浄液容器の第４の実施例の要部断面図である。
【図１３】その洗浄液噴射状態を示す説明図である。
【符号の説明】
１　　　容器
１１　　キャップ取付け部
１２　蛇腹
２　　キャップ
２１　キャップ基座
２１１　弁座
２１２　ノーズ部
２１４　透孔
２１５　弁膜
２２　ノズル部材
２２１　噴射口
２２２　頂板
２２３　噴射口
２２４　弁板
２２５　中心孔
２２６　突起
２３　ストッパ
３　　弁機構
３１　スプリング体
３１１　弁体
４　　　通気管
【図１】
2004097933.tif 000003
【図２】
2004097933.tif 000004
【図３】
2004097933.tif 000005
【図４】
2004097933.tif 000006
【図５】
2004097933.tif 000007
【図６】
2004097933.tif 000008
【図７】
2004097933.tif 000009
【図８】
2004097933.tif 000010
【図９】
2004097933.tif 000011
【図１０】
2004097933.tif 000012
【図１１】
2004097933.tif 000013
【図１２】
2004097933.tif 000014
【図１３】
2004097933.tif 000015